(57)【要約】【課題】筐体の内部で電源コードが損傷し難い電気機器を提供する。【解決手段】筐体１０と、筐体１０の背面から立設する電源端子の一部を収容する収容溝が形成され、筐体１０に形成された開口部に組み込まれた端子基台２０と、電子部品を配設した回路基板と、を備え、電源端子を壁面のコンセントの差込口に挿入することで壁面に配設される電気機器であって、筐体１０の背面側と回路基板との間の空間Ｓに、端子基台２０と接続する電源コード２３を挿通させ、筐体１０の背面側から回路基板に向けて立設し、電源コード２３を案内するリブ４０を設けてある。【選択図】図３
2015035479.tif 000002
【特許請求の範囲】
【請求項１】
筐体と、前記筐体の背面から立設する電源端子の一部を収容する収容溝が形成され、前記筐体に形成された開口部に組み込まれた端子基台と、電子部品を配設した回路基板と、を備え、前記電源端子を壁面のコンセントの差込口に挿入することで前記壁面に配設される電気機器であって、
前記筐体の背面側と前記回路基板との間の空間に、前記端子基台と接続する電源コードを挿通させ、
前記筐体の背面側から前記回路基板に向けて立設し、前記電源コードを案内するリブを設けた電気機器。
【請求項２】
前記リブが前記回路基板を支持する請求項１に記載の電気機器。
【請求項３】
前記リブが、前記電気機器の設置姿勢における下方に前記電源コードを案内するように形成された第１リブと、前記電気機器の角部に前記電源コードを案内するように形成された第２リブと、を有する請求項１または２に記載の電気機器。
【請求項４】
前記第２リブが前記角部に伸びる方向の反対側に、前記電源コードを収納する収納部を設けた請求項３に記載の電気機器。
【発明の詳細な説明】
【技術分野】
【０００１】
本発明は、電源端子が一体に形成された電気機器に関する。
【背景技術】
【０００２】
従来、電気機器において、筐体の背面から立設する電源端子と、前記電源端子の一部を収容する収容溝が形成され、前記筐体に形成された開口部に組み込まれた端子基台と、電子部品を配設した回路基板と、を備えたものが知られていた。当該電気機器は、前記電源端子を壁面のコンセントの差込口に挿入することで前記壁面に配設されていた。
【０００３】
このような電気機器は、筐体から引き出された電源コードなどが壁面上に露出しないため、優れた美観を呈していた。
【０００４】
尚、本発明における従来技術となる上述した電気機器は、一般的な技術であるため、特許文献等の従来技術文献は示さない。
【発明の概要】
【発明が解決しようとする課題】
【０００５】
上述した電気機器において、端子基台と接続する電源コードは、筐体の内部において、回路基板の周縁に配置されていた。このとき、電源コードが回路基板に配設された電子部品と接触して、電源コードが損傷する虞があった。
【０００６】
従って、本発明の目的は、筐体の内部で電源コードが損傷し難い電気機器を提供することにある。
【課題を解決するための手段】
【０００７】
上記目的を達成するための本発明に係る電気機器は、筐体と、前記筐体の背面から立設する電源端子の一部を収容する収容溝が形成され、前記筐体に形成された開口部に組み込まれた端子基台と、電子部品を配設した回路基板と、を備え、前記電源端子を壁面のコンセントの差込口に挿入することで前記壁面に配設される電気機器であって、その第一特徴構成は、前記筐体の背面側と前記回路基板との間の空間に、前記端子基台と接続する電源コードを挿通させ、前記筐体の背面側から前記回路基板に向けて立設し、前記電源コードを案内するリブを設けた点にある。
【０００８】
本構成によれば、リブが、筐体の背面側と回路基板との間の空間を挿通する電源コードを案内するように設けてある。当該空間は、回路基板の裏側に形成されており、当該回路基板の裏側には回路基板に配設された電子機器の一部が突出している。このとき、当該リブを、回路基板に配設された電子部品を避けるように配設すれば、電源コードをリブに沿わせて空間を挿通させたときに、電源コードと電子部品とが接触し難くなる。従って、電源コードの挿通部位、および、リブの立設態様を本構成のようにすれば、電源コードが電子部品と接触して損傷し難くなる。
【０００９】
本発明に係る電気機器の第二特徴構成は、前記リブが前記回路基板を支持する点にある。
【００１０】
本構成によれば、リブは、筐体の背面側から回路基板に当接するように立設することで、回路基板を支持することができる。これにより、リブが回路基板の位置決めをした状態で、電源コードが挿通する空間を確実に確保することができる。
【００１１】
本発明に係る電気機器の第三特徴構成は、前記リブが、前記電気機器の設置姿勢における下方に前記電源コードを案内するように形成された第１リブと、前記電気機器の角部に前記電源コードを案内するように形成された第２リブと、を有した点にある。
【００１２】
本構成によれば、電源コードは、第１リブに沿って側面付近まで案内され、当該側面付近において角部に向けて折り曲げ、第２リブに沿って角部付近まで案内される。このように本構成では、電気機器の組み立て時には、電源コードを第１リブおよび第２リブに沿わせるだけで電源コードを筐体の内部に配設することができるため、組み立て時の労力を減少させることができる。
【００１３】
本発明に係る電気機器の第四特徴構成は、前記第２リブが前記角部に伸びる方向の反対側に、前記電源コードを収納する収納部を設けた点にある。
【００１４】
本構成によれば、例えば電源コードを筐体の内部に配設する際に、電源コードの一部を収納部に収納すれば、当該収納部に収納した電源コードを遊び部分として電源コードの筐体の内部における配設状態を調節することができる。
【図面の簡単な説明】
【００１５】
【図１】本発明の電気機器の概要を示す斜視図である。
【図２】電気機器の分解斜視図である。
【図３】基板回路を外した電気機器の上面視の概略図である。
【図４】基板回路を装着した電気機器の上面視の概略図である。
【図５】壁面に配設した電気機器の要部断面図である。
【図６】電源コードが空間を挿通する様子を示した要部断面図である。
【発明を実施するための形態】
【００１６】
以下、本発明の実施形態を図面に基づいて説明する。
本発明の電気機器は、電源端子が一体に形成された電気機器である。
図１〜６に示したように、本発明の電気機器Ｘは、筐体１０と、筐体１０の背面から立設する電源端子２１の一部を収容する収容溝２２が形成され、筐体１０に形成された開口部１１に組み込まれた端子基台２０と、電子部品を配設した回路基板１２と、を備え、電源端子２１を壁面Ｙのコンセント３０の差込口３１に挿入することで壁面Ｙに配設される。
当該電気機器Ｘは、筐体１０の背面側と回路基板１２との間の空間Ｓに、端子基台２０と接続する電源コード２３を挿通させ、筐体１０の背面側から回路基板１２に向けて立設し、電源コード２３を案内するリブ４０を設けてある。
【００１７】
電気機器Ｘは、電源端子が一体に形成され、壁面に設置する態様であればどのような機器であってもよい。当該壁面に設置する電機機器としては、例えば防災用又は防犯用の警報器が挙げられる。本実施形態では、電気機器Ｘとして、可燃性ガス（ＬＰガス）の漏洩を検知するガス警報器を屋内の壁面に設置する態様について説明する。当該電気機器Ｘの形状は特に限定されるものではないが、本実施形態では上面視で矩形状であり、厚板状（例えば８０×６２×３５ｍｍ）の形状を呈するものを例示する。
【００１８】
筐体１０は、機器本体１０ａおよび当該機器本体１０ａを覆う封止体１０ｂより形成される。当該機器本体１０には回路基板１２が収容される。
回路基板１２には、例えばガス検知部１３、報知部１４などの電子部品が配設してある。また、回路基板１２の接続部１２ａには、電源コード２３の一端が接続している。当該電源コード２３の他端は、端子基台２０と接続する。本実施形態の回路基板１２は、回路基板１２の表裏に亘って電源コード２３を配設するため、切欠部１２ｂが形成してある。筐体１０の側面１８に沿って案内された電源コード２３は、回路基板１２の裏側から筐体１０の角部１９付近に形成された角部リブ４５に沿って曲げることで回路基板１２の表側に案内される。
【００１９】
ガス検知部１３は、被検知ガスである可燃性ガス（ＬＰガス）を検知するものであればどのような態様であってもよく、例えば公知の半導体式センサ素子や接触燃焼式センサ素子などを設けたものを使用できる。
【００２０】
報知部１４は、ガス検知部からの信号を受けて警報を発するものであればどのような態様であってもよく、例えば圧電スピーカなどの音声を発する態様、或いは、ＬＥＤなどの光を発する態様などを使用することができる。
【００２１】
封止体１０ｂには、電気機器Ｘの電源の投入を行うスイッチ部１５、報知部１４からの警報音を放音する放音部１６などが形成してある。
【００２２】
本実施形態では、端子基台２０には互いに対面する一対の電源端子２１が立設する場合について説明するが、このような態様に限定されるものではない。電源端子２１は、その一端が端子基台２０に形成された収容溝２２に例えば一体成形により係入し、その他端が露出している。電源端子２１の露出した他端が、壁面Ｙのコンセント３０の差込口３１に挿入される。
【００２３】
端子基台２０は、筐体１０に形成された開口部１１に組み込まれる。本実施形態では、当該開口部１１は、機器本体１０ａにおいて幅方向の中央に位置し、上下方向の上側に位置するように設けた場合について説明するが、このような態様に限定されるものではない。
【００２４】
本発明の電気機器Ｘは、筐体１０の背面側と回路基板１２との間の空間Ｓに、端子基台２０と接続する電源コード２３を挿通させ、筐体１０の背面側から回路基板１２に向けて立設し、電源コード２３を案内するリブ４０を設けてある。
【００２５】
本構成では、リブ４０が、筐体１０の背面側と回路基板１２との間の空間Ｓを挿通する電源コード２３を案内するように設けてある。当該空間Ｓは、回路基板１２の裏側に形成されており、回路基板１２の裏側には回路基板１２に配設された電子部品５０の一部が突出している。このとき、当該リブ４０を、回路基板１２に配設された電子部品５０を避けるように配設すれば、電源コード２３をリブ４０に沿わせて空間Ｓを挿通させたときに、電源コード２３と電子部品５０とが接触し難くなる。従って、電源コード２３の挿通部位、および、リブ４０の立設態様を本構成のようにすれば、電源コードが電子部品５０と接触して損傷し難くなる。
【００２６】
リブ４０は、回路基板１２を支持するように構成すればよい。即ち、リブ４０は、筐体１０の背面側から、少なくともその一部が回路基板１２に当接するように立設することで、回路基板１２を支持することができる。これにより、リブ４０が回路基板１２の位置決めをした状態で、電源コード２３が挿通する空間Ｓを確実に確保することができる。
【００２７】
リブ４０は、電気機器Ｘの設置姿勢における下方に電源コード２３を案内するように形成された第１リブ４１と、電気機器Ｘの角部１８に前記電源コードを案内するように形成された第２リブ４２と、を有する。
【００２８】
本実施形態では、第１リブ４１を、電気機器Ｘの設置姿勢における鉛直方向に、かつ、電気機器Ｘの設置姿勢における下側の側面１８付近まで延出するように形成し、さらに、第２リブ４２は、第１リブ４１の端部と接続した状態で電気機器Ｘの角部１９付近まで延出するように形成する場合について説明するが、このような態様に限定されるものではない。第２リブ４２は、回路基板１２の切欠部１２ｂの形状に対応するように角部１９付近に形成された略Ｌ字状の第３リブ４３に接続する。
【００２９】
電源コード２３は、一端が回路基板１２の接続部１２ａに接続し、他端が端子基台２０に接続する。本実施形態における端子基台２０は、機器本体１０ａにおいて幅方向の中央に位置するため、電源コード２３は、機器本体１０ａにおいて幅方向の中央付近から第１リブ４１に沿って側面１８付近まで案内される。さらに電源コード２３は、当該側面１８付近において角部１９に向けて折り曲げ、第２リブ４２に沿って角部１９付近まで案内される。
【００３０】
このように本構成では、電気機器Ｘの組み立て時には、電源コード２３を第１リブ４１および第２リブ４２に沿わせるだけで電源コード２３を筐体１０の内部に配設することができるため、組み立て時の労力を減少させることができる。また、電源コード２３を第１リブ４１および第２リブ４２に沿わせれば、電源コード２３を極力折り曲げないように、筐体１０の背面側と回路基板１２との間の空間Ｓに挿通させることができる。そのため、電源コード２３の折り曲げによるダメージを抑えることができる。
【００３１】
また、第２リブ４２が角部１９に伸びる方向の反対側に、電源コード２３を収納する収納部４４を設けてもよい。
【００３２】
本構成であれば、例えば電源コード２３を筐体１０の内部に配設する際に、電源コード２３の一部を収納部４４に収納すれば、電源コード２３の長さなどの配設状態を調節することができる。
【産業上の利用可能性】
【００３３】
本発明は、筐体と、前記筐体の背面から立設する電源端子の一部を収容する収容溝が形成され、前記筐体に形成された開口部に組み込まれた端子基台と、を備え、前記電源端子を壁面のコンセントの差込口に挿入することで前記壁面に配設される電気機器に利用できる。
【符号の説明】
【００３４】
Ｘ          電気機器
Ｙ          壁面
Ｓ          空間
１０        筐体
１１        開口部
１２        回路基板
２０        端子基台
２１        電源端子
２２        収容溝
２３        電源コード
３０        コンセント
３１        差込口
４０        リブ
４１        第１リブ
４２        第２リブ
４４        収納部
【図１】
2015035479.tif 000003
【図２】
2015035479.tif 000004
【図３】
2015035479.tif 000005
【図４】
2015035479.tif 000006
【図５】
2015035479.tif 000007
【図６】
2015035479.tif 000008